(57)【要約】【課題】 既設の石積みの背面に大きな空洞部分があった場合の補修では、充填材等を石積みの背面に注入する場合、充填材等が下方向に流出してしまうため、噛み合わせたい場所全体に注入できないこととなる。また、充填材が石積み背面の水を石積みの表面に抜く水路を塞いでしまうことがあり、さらに危険な状況になることも懸念される。この充填材等の補修材が不必要な箇所に流出することを防止することができる石積み接着パッキング工法を提供する。【解決手段】既設の石積みの崩壊を防止する石積み接着パッキング工法において、石積み背面の空洞部に接着剤を塗布する下地処理工程と、空洞部に袋状のパッキング材を挿入し、そのパッキング材内に充填材を注入する充填材注入工程と、石積みの背面と袋状のパッキング材との接着及び表面処理として補修する処理工程とを有することとした。【選択図】図５
2009079350.tif 000002
【特許請求の範囲】
【請求項１】
宅地造成などで施工された既設の石積みの崩壊を防止する石積み接着パッキング工    法において、
既設の石積み背面の空洞部に接着剤を塗布する下地処理工程と、
既設の石積み背面の空洞部に、袋状のパッキング材を挿入し、そのパッキング材内      にモルタルもしくはセメント系充填材を注入する充填材注入工程と、
前記充填材注入工程を施した石積みの背面とモルタルもしくはセメント系充填材を    注入したパッキング材との接着及び表面処理として樹脂モルタルもしくはセメント系    の補修剤を注入する処理工程と、
を有することを特徴とする石積み接着パッキング工法。
【請求項２】
前記樹脂モルタルは、セメントと水溶性のエマルジョン系樹脂を主成分とする接    着剤を練混した材料を使用することを特徴とする請求項１に記載の石積み接着パッキ    ング工法。
【請求項３】
前記既設の石積みに亀裂や空隙部がある場合、その亀裂や空隙部に前記樹脂モルタ    ルと同一の材料により補修することを特徴とする請求項１又は請求項２に記載の石積    み接着パッキング工法。
【発明の詳細な説明】
【技術分野】
【０００１】
本発明は、宅地造成などで施工された既設の石積みの崩壊を防止する際に、石積み  の背面に不必要な空洞部が有する箇所に充填材を必要数量に止めて注入することで経済  的で安全に補強し、石積みの崩壊を防止する石積み接着パッキング工法に関するもので  ある。
【背景技術】
【０００２】
従来施工されてきた石積みは、長年にわたる雨水等の影響により背面の裏込め材が  流出している場合が多い。
【０００３】
その状態のものをそのまま放置した場合、石積みと背面の裏込め材との噛み合いによ  り強度を高めていた石積みは、噛み合う裏込め材が無いことで、土圧に耐える強度を失  うことが予測され、雨水等により何らかの応力が発生した場合、石積みが崩壊する危険  性が高くなる。
【０００４】
そのため、石積みの裏込め補強として、接着性を有する充填材を石積みの背面に注入  する場合がある。
【特許文献１】特許公開２００５−３６６３６
【発明の開示】
【発明が解決しようとする課題】
【０００５】
この接着性を有する充填材を石積みの背面に注入する方法では、重力により注入する  接着性を有する充填材が下方向に流れてしまうため、空洞の上部まで注入することが困  難となる場合が多く、噛み合わせたい場所全体に注入できないこととなる。
【０００６】
また、接着性を有する充填材の流動性により下方向に流出することで、石積み背面    の水を石積みの表面に抜く水路を塞いでしまう場合があり、水圧が上がることで応力    を受けることとなるため、さらに危険な状況になることが懸念される。
【課題を解決するための手段】
【０００７】
そこで、請求項１に係る本発明では、宅地造成などで施工された既設の石積みの崩壊  を防止する石積み接着パッキング工法において、既設の石積み背面の空洞部に接着剤を  塗布する下地処理工程と、既設の石積み背面の空洞部に、袋状のパッキング材を挿入し  、その袋状のパッキング材内にモルタルもしくはセメント系充填材を注入する充填材注  入工程と、前記充填材注入工程を施した既設の石積みの背面とモルタルもしくはセメン  ト系充填材を注入した袋状のパッキング材との接着及び表面処理として樹脂モルタルも  しくはセメント系の補修剤を注入する処理工程と、を有することを特徴とする。
【０００８】
また、請求項２に係る本発明では、請求項１に記載の石積み接着パッキング工法    において、樹脂モルタルは、セメントと水溶性のエマルジョン系樹脂を主成分とする    接着剤を練混した材料を使用することを特徴とする。
【０００９】
また、請求項３に係る本発明では、請求項１又は請求項２に記載の石積み接着パッキ  ング工法において、既設の石積みに亀裂や空隙部がある場合、その亀裂や空隙部に前記  樹脂モルタルと同一の材料により補修することを特徴とする。
【発明の効果】
【００１０】
本発明によれば、以下に記載するような効果が生起される。すなわち、請求項１に係    る本発明では、宅地造成などで施工された既設の石積みの崩壊を防止する石積み接着    パッキング工法において、既設の石積み背面の空洞部に接着剤を塗布する下地処理工    程と、既設の石積み背面の空洞部に、袋状のパッキング材を挿入し、その袋状のパッ    キング材内にモルタルもしくはセメント系充填材を注入する充填材注入工程と、前記    充填材注入工程を施した既設の石積みの背面とモルタルもしくはセメント系充填材を    注入した袋状のパッキング材との接着及び表面処理として樹脂モルタルを注入する処    理工程と、を有することを特徴とするため、モルタルもしくはセメント系充填材を不    必要な部分に注入することなく、必要な部分に確実に充填することができる。
【００１１】
また、請求項２に係る本発明では、請求項１に記載の石積み接着パッキング工法    において、樹脂モルタルは、セメントと水溶性のエマルジョン系樹脂を主成分とする    接着剤を練混した材料を使用することを特徴とするため、石積みの背面とセメントも    しくはセメント系充填材を注入した袋状のパッキング材との間の接着力が得られ、そ    の結果、補修後の石積みの耐久性が向上する。
【００１２】
また、請求項３に係る本発明では、請求項１又は請求項２に記載の石積み接着パッキ  ング工法において、既設の石積みに亀裂や空隙部がある場合、その亀裂や空隙部に前記  樹脂モルタルと同一の材料により補修することを特徴とするため、石積みの補強効果の  向上も期待できる。
【発明を実施するための最良の形態】
【００１３】
本発明に係る石積み接着パッキング工法は、宅地造成などで施工された既設の石積    みに崩壊の危険性がある場合に、崩壊を防止する工法である。
【００１４】
以下、本発明の一実施形態について、図面を参照して具体的に説明する。図１は、    既設の石積み１背面の空洞状況を示す断面模式図であり、図２は、既設の石積み１背    面の空洞部３に接着剤５を塗布する下地処理工程を示す模式図であり、図３は、既設    の石積み１背面の空洞部３に、袋状のパッキング材９を挿入し、その袋状のパッキン    グ材９内にモルタルもしくはセメント系充填材７を注入する充填材注入工程を示す断    面模式図であり、図４は、既設の石積み１の背面とモルタルもしくはセメント系充填    材７を注入した袋状のパッキング材９の接着及び表面処理として樹脂モルタルもしく    はセメント系補修材１２を注入する処理工程と、既設の石積み１に亀裂や空隙部８が    ある場合、その亀裂や空隙部８に前記樹脂モルタルと同一の材料、もしくはセメント    系の補修剤により補修する補修工程を示す断面模式図であり、図５は、補修後の注入    状況と空洞部３が補修されて強度が増した補強ゾーン１４を示す模式図である。
【００１５】
本実施形態の石積み接着パッキング工法では、図１に示すように、まず、既設の石    積み１背面の空洞状況を清掃等により把握する。なお、図１中の符号１は、石積みの    石１を示しており、図１中の符号２は、石積み背面の空洞部分３を示している。
【００１６】
図２に示すように、既設の石積み１背面の空洞部３には接着剤５を下地処理として    塗布する状況であるが、この場合の塗布する方法としては図２のように噴霧器６を使    用することが望ましい。
【００１７】
次に、図３に示すように、確認された空洞部３に袋状のパッキング材９を挿入し、    そのパッキング材内にモルタルもしくはセメント系充填材７を注入する。
【００１８】
次に、図４に示すように、既設の石積み１に亀裂や空隙部８がある場合、その亀裂    や空隙部８に樹脂モルタルもしくはセメント系の補修剤１２により補修する。
【００１９】
また、充填材注入工程を施した既設の石積み１の背面とモルタルもしくはセメント    系充填材７を注入した袋状のパッキング材９との接着及び表面処理として樹脂モルタ    ルもしくはセメント系の補修剤１２を注入器１３などにて注入する。
【図面の簡単な説明】
【００２０】
【図１】石積み背面の空洞部分を示す断面模式図である。
【図２】石積み背面の空洞部分に接着剤を塗布する下地処理工程を示す断面模式              図である。
【図３】既設の石積み背面の空洞部に、袋状のパッキング材を挿入し、そのパッ              キング材内にモルタルもしくはセメント系充填材を注入する充填材注入工              程を示す断面模式図である。
【図４】石積みの背面とモルタルもしくはセメント系充填材を注入したパッキン              グ材の接着及び表面処理として樹脂モルタルもしくはセメント系補修剤を              注入する処理工程と、既設の石積みに亀裂や空隙部がある場合、その亀裂              や空隙部に前記樹脂モルタルと同一の材料により補修する補修工程を示す              断面模式図である。
【図５】補修後の注入状況と空洞部が補修されて強度が増した補強ゾーンを示す              模式図である。
【符号の説明】
【００２１】
１  既設の石積み
２  裏込め材
３  空洞部
４  地盤
５  接着剤
６  噴霧器
７  モルタルもしくはセメント系充填材
８  亀裂や空隙部
９  袋状のパッキング材
１０モルタルもしくはセメント系充填材を注入中のパッキング材
１１モルタルもしくはセメント系充填材の注入器
１２樹脂モルタルもしくはセメント系の補修剤
１３樹脂モルタルもしくはセメント系の補修剤の注入器
１４補強ゾーン
【図１】
2009079350.tif 000003
【図２】
2009079350.tif 000004
【図３】
2009079350.tif 000005
【図４】
2009079350.tif 000006
【図５】
2009079350.tif 000007